(57)【要約】【課題】従来の情報端末機カバーは端末不使用時に保護することが目的で、形状が単純で端末使用時に持ち辛く安定して使用できなかった。本発明による単純で安価な構造で端末が飛躍的に使いやすくなる情報端末機カバーを提供することを課題とする。【解決手段】情報端末機収納ケースに切り込み部、ヒンジ部と嵌合部を設け、固持用の挿入嵌合部や脱着用の緩嵌合部にある穴構造、挟み構造、保持立設構造による保持部を用いて誤記入や落下の危険なく端末を操作出来た。また緩嵌合部使用で収納、使用の変更も容易であった。【選択図】図１
2020201542.tif 000002
【特許請求の範囲】
【請求項１】
情報端末機収納ケース（５０ａ）であって、平面視長方形の構造で、情報端末機（１００）の一面が解放で、外周部に立ち上がり部（５０ｂ）を有し、前記立ち上がり部（５０ｂ）に複数の切り込み部（２）を設け、
前記情報端末機収納ケース（５０ａ）を折り曲げる為のヒンジ部（１）を情報端末機収納ケース（５０ａ）の底部（５０ｄ）に前記長方形の長辺（５０ｆ）と対向する長辺（５０ｆ）に向けて、前記切り込み部（２）より平行して少なくとも１つ設けており、また短辺（５０ｇ）と対向する短辺（５０ｇ）に向けて、前記切り込み部（２）より平行して少なくとも１つ設けていることを特徴とする情報端末機収納ケース。
【請求項２】
前記情報端末機収納ケース（５０ａ）に前記ヒンジ部（１）で分設した挿入嵌合部（２０）を一つ設け、前記情報端末機（１００）を前記挿入嵌合部（２０）で固持し、
前記情報端末機収納ケース（５０ａ）に前記ヒンジ部（１）で分設した緩嵌合部（２１）を少なくとも１つ設け、前記情報端末機（１００）から前記緩嵌合部（２１）を脱着することを特徴とする請求項１記載の情報端末機収納ケース。
【請求項３】
前記情報端末機（１００）の使用時において情報端末機（１００）から前記緩嵌合部（２１）を脱着し、情報端末機収納ケース（５０ａ）を挟持する保持用切取り部（７）を前記緩嵌合部（２１）の前記立ち上がり部（５０ｂ）に、少なくとも１つ設けることを特徴とする請求項１又は２に記載の情報端末機収納ケース。
【請求項４】
前記情報端末機（１００）の使用時において情報端末機（１００）から前記緩嵌合部（２１）を脱着し、情報端末機収納ケース（５０ａ）を掴持する保持用穴部（８）を前記緩嵌合部（２１）の底部（５０ｄ）に、少なくとも１つ設けることを特徴とする請求項１又は２に記載の情報端末機収納ケース。
【請求項５】
前記情報端末機（１００）から前記緩嵌合部（２１）を脱着し、前記緩嵌合部（２１）の長辺（５０ｆ）又は短辺（５０ｇ）上の端部外側（５０ｈ）に設けた凸状部（５）と、もう一方の前記緩嵌合部（２１）又は挿入嵌合部（２０）の底部（５０ｄ）に少なくとも１つ設けた凹状部又は穴状部（６）に係止し、前記情報端末機（１００）を保持立設する保持用立設部を設けることを特徴とする請求項１又は２に記載の情報端末機収納ケース。
【請求項６】
前記情報端末機収納ケース（５０ａ）に前記保持用切取り部（７）又は前記保持用穴部（８）、前記保持用立設部を同時に複数設けることを特徴とする請求項１又は２に記載の情報端末機収納ケース。
【発明の詳細な説明】
【技術分野】
【０００１】
本発明は情報端末機収納ケースの構成に関する。
【背景技術】
【０００２】
従来から携帯電話の情報端末機カバーが知られている。
【先行技術文献】
【特許文献】
【０００３】
【特許文献１】特開２０１８−１８２２９２号公報
【発明の概要】
【発明が解決しようとする課題】
【０００４】
情報端末機カバーには使用時に手や指に馴染む保持構造がなく、情報端末機を誤記入や落下の危険なく使用できなかった。また、情報端末機カバーはカバー部と保持部が一体の構成をした物はなく、手に馴染む保持部は別部品で重たく使用し難かった。
【０００５】
本発明はカバー部と保持部を情報端末機収納ケースの一枚に一体化し、手に馴染む簡単な保持部を作成し、誤記入や落下の危険を軽減して情報端末機を操作できる情報端末機収納ケースを提供することにある。
【課題を解決するための手段】
【０００６】
本発明の１に係る情報端末機収納ケース５０ａは平面視長方形の構造で、情報端末機１００の表示面側が解放で、外周部の立ち上がり部５０ｂに複数の切り込み部２を設け、前記情報端末機収納ケース５０ａを折り曲げる為のヒンジ部１を情報端末機収納ケース５０ａの底部５０ｄを前記長方形の長辺５０ｆと対向する長辺に向けて、また短辺５０ｇと対向する短辺に、前記切り込み部２より各辺に平行して設けている。
【０００７】
本発明の２に係る前記ヒンジ部１で分設した挿入嵌合部２０を前記情報端末機収納ケース５０ａに一つ設け、前記情報端末機１００を前記挿入嵌合部２０で固持し、前記ヒンジ部１で分設した緩嵌合部２１を前記情報端末機収納ケース５０ａに少なくても１つ設けて、前記緩嵌合部２１は前記情報端末機１００より容易に脱着出来る。
【０００８】
本発明の３に係る情報端末機収納ケース５０ａの保持部は外周部の前記立ち上がり部５０ｂにある保持用切取り部７で、少なくとも１つ設け、情報端末機使用時において前記緩嵌合部２１を情報端末機１００から脱着し指で前記保持用切取り部７を挟み、保持して情報端末機１００を使用する。
【０００９】
本発明の４に係る情報端末機収納ケース５０ａの保持部は緩嵌合部２１の底部５０ｄにある保持用穴部８で、少なくとも１つ設け、情報端末機１００使用時において前記緩嵌合部２１を情報端末機１００から脱着し、指で前記保持用穴部８に挿入し、保持して情報端末機１００を使用する。
【００１０】
本発明の５に係る情報端末機収納ケース５０ａの保持部は前記緩嵌合部２１の底部（５０ｄ）の端部外側５０ｈにある凸状部５と、もう一方の前記緩嵌合部２１又は挿入嵌合部２０の底部５０ｄに少なくとも１つある凹状部又は穴状部６から成る保持用立設部で、前記緩嵌合部２１を情報端末機１００から脱着し、前記凸状部５と前記凹状部又は穴状部６にて情報端末機１００を係止し立設保持して情報端末機１００を使用する。
【００１１】
本発明の６に係る情報端末機収納ケース５０ａは保持用切取り部７又は保持用穴部８、更に前記緩嵌合部２１、前記挿入嵌合部２０に設ける保持用立設部を、一つの情報端末機収納ケース５０ａに同時に複数設けて使用する。
大型の前記情報端末機１００においては切り込み部２とヒンジ部１を多くして前記情報端末機収納ケース５０ａを多段に折り曲げる。
【００１２】
ヒンジ部１が２本以上のケースで挿入嵌合部２０を情報端末機収納ケース５０ａの端部のどちらかの一方に取る場合は、保持用立設部の凹状部又は穴状部６の片方の凹状部と端部外側５０ｈにある凸状部５とを用いて挿入嵌合部２０の背面に係止立設し使用する。
ヒンジ部が１本で挿入嵌合部２０と緩嵌合部２１の２部分だけの情報端末機収納ケース５０ａの場合は、保持用穴部８又は保持用切取り部７を設ける事が出来るが、保持用立設部が出来ず情報端末機収納ケース５０ａとしての機能は劣る。
【発明の効果】
【００１３】
本発明において、情報端末機収納ケース５０ａに新たに切り込み部２、ヒンジ部１、挿入嵌合部２０、緩嵌合部２１の構造を考案し、使用者が情報端末機１００使用時において誤記入や落下の危険なく機能的に使えるようになった。今後の文書内に於いて情報端末機収納ケース５０ａをケース、情報端末機１００を端末と記す。
【００１４】
本発明の効果はケースの緩嵌合部２１を端末から外側に脱着して、保持用切取り部７を指で挟み、また底部５０ｄの保持用穴部８に指を挿入し押えて端末を保持し、誤記入や落下の危険なく安定して操作で来た。
また、凸状部５やその受け入れ凹状部又は穴状部６を使用し保持立設部構造を作り、端末を安定して操作できた。
【００１５】
本発明の効果は端末からケースの緩嵌合部２１を容易に端末から外側に脱着して、保持用穴部８、保持用切取り部７、凸状部５やその受け入れ凹状部又は穴状部６を単独に又は複数の保持部を組み合わせて更に安定して使用出来た。
端末不使用時は緩嵌合部２１の内側に有る緩嵌合用の狭域凸部４ａを使用して端末をケースに容易に収め保護出来た。
【００１６】
ケースは端末使用時や不使用時のケース形状の切り替えが容易で、端末の操作機能や保護機能を格段に向上せしめ、端末カバー機能と保持操作機能を一つのケースに一体化出来た。
さらに大型の端末においては手持ち操作が可能になり、立設、係止、角度調整、手渡しが容易になって利便性が向上して本発明の効果がでた。
【図面の簡単な説明】
【００１７】
【図１】不使用時の情報端末機収納ケースの図である。
【図２】保持用切取り部と保持用穴部を指で使用する時の図である。
【図３】使用時の情報端末機収納ケース立設縦置きの図である。
【図４】挿入嵌合部が端部に有る情報端末機収納ケース立設縦置きの図である。
【図５】使用時の情報端末機収納ケース立設横置きの図である。
【図６】切り込み部の斜視図と薄肉ヒンジ部の断面図である。
【発明を実施するための形態】
【００１８】
本発明のケースは塩化ビニール樹脂、ポリウレタン樹脂、ポリエステル樹脂、軟質ポリオレフィン樹脂、ポリエーテル樹脂、軟質ハイブリッド樹脂、繊維ハイブリッド樹脂、紙ハイブリッド樹脂、金属等により補強された軟質成型樹脂やインサート成型、軟質材料多色成型や組合せ素材で出来ている。
【００１９】
ケースは端末の表示をする面が解放され、外周部に端末を覆う高さの立ち上がり部５０ｂが有り、切り込み部２が外周部にあり、切り込み部２の幅は外周部の肉厚の２分の１から５倍程度が良く、１倍程度から３倍程度が望ましい。全長は底部５０ｄを貫通している。
【００２０】
底部５０ｄが面状の箱型であり、ケースの底部５０ｄの内側もしくは外側にヒンジ部１が有り、ヒンジ部１は主に軟質薄肉ヒンジ構造であり、ヒンジ溝はＶ字又はＵ字構造で成り、ケース底部５０ｄの肉厚に対して薄肉ヒンジ部１の最薄部の肉厚は３分の２以下、１０分の１以上の肉厚を持っているが２分の１以下から５分の１以上が望ましい。
ヒンジ部１の長さは端末の横長使用の長辺５０ｆ、縦長使用の短辺５０ｇにおける長さ未満であり、各辺の４分の１以上であることが望ましい。
【００２１】
ヒンジ部１が一本の場合は設置場所がケースの長辺使用、短辺使用に関わらずケース辺の一方の位置より３分の１の位置から９分の５の位置まで変更できる。
また複数本の場合の設置場所はケースの長辺使用、短辺使用に関わらずケース辺の一方の位置より３分の１と３分の２の位置から９分の４と９分の５の位置まで変更できる。ケースの折り曲げ形状は三角柱形状になり、ヒンジ部１がｎ本の場合はｎ＋１角柱になる。
【００２２】
２本のヒンジ部１を持つケースの場合は、挿入嵌合部２０と挿入嵌合部２０の外側に有る緩嵌合部２１と、もう一方や連続する緩嵌合部２１の３部分に機能分設される。ヒンジ部１が３本以上の場合でも、挿入嵌合部２０は１つで緩嵌合部２１が増える構造になる。
【００２３】
端末に対してケースは外側に折り曲げる構造であり、外側に折り曲げたケースは端末を安定して操作するために使われる。
【００２４】
ヒンジ構造で分設されたケースの挿入嵌合部２０は、ケースの外周部立ち上がり部５０ｂ端部の内側に有る広域凸部３等にて端末を挿入嵌合し任意の位置でケースを強固に保持しているが位置を変更できる構造であり、挿入嵌合強度はケース挿入嵌合部２０の素材、肉厚、広域凸部３の面積や構造、更にはケース挿入嵌合部２０を補強するための肉厚部４により調整する。
【００２５】
場合によっては金属や補強材等をインサート成型や後付で補強をしても良いが、挿入嵌合部２０の端末保持強度はケースの立ち上がり部５０ｂ端部外側に有る突起部４ｂの何れかに２メートル長のストラップを強固に設置し、端末にケースを装着してストラップ端部を所持し、端末を空中落下させた後に空中停止しても端末が挿入嵌合から外れない強度以上とする。
【００２６】
分設された緩嵌合部２１は端末を緩嵌合する為に外周部立ち上がり部５０ｂ端部の内側に狭域凸部４ａを設置して、緩嵌合強度はヒンジ部１の肉厚や幅やケース自体の軟質度や緩嵌合部２１の外周部の内側に有る狭域凸部４ａの幅や長さや角度や、ヒンジ部１と並行した最遠部の立ち上がり部５０ｂ端部外側に出た突起部４ｂのテコ効果等により調整する。突起部４ｂは端末の衝撃緩和の機能も担う。
【００２７】
緩嵌合の強度はケースの立ち上がり部５０ｂ端部外側に突き出た突起部４ｂの何れかに前記ストラップを強固に設置しケースの挿入嵌合部２０の底部５０ｄに対して直角方向に引き離し、引き離し荷重が１０ｇ以上２ｋｇ以下で有るが、望ましい荷重は１００ｇから１ｋｇが望ましい。
【００２８】
緩嵌合部（２１）は端末使用時に端末より脱着し指で挟み端末使用を安定化せしめる為に、ケース外周部の立ち上がり部５０ｂに保持用切取り部７が長方形で有り、外周部の切取りの高さは底部５０ｄの肉厚を残した高さで有り、切取りの横長幅は１ｃｍ以上５ｃｍ以下で有るが、２ｃｍ以上３ｃｍ以下が望ましい。
【００２９】
緩嵌合部２１は端末使用時に端末より脱着し指を挿入し端末保持を安定化する保持用穴部８が底部５０ｄにある構造で、保持用穴部８の位置はケースの右側や左側で他機能に干渉せずケースの強度を著しく低下しない場所が良い。保持用穴部８の直径は１ｃｍ以上４ｃｍ以下であるが、２ｃｍ以上３ｃｍ以下が望ましいが指が楽に挿入できる構造であれば良い。
【００３０】
緩嵌合部（２１）の外側底部５０ｄに端末より折り曲げ脱着した緩嵌合部２１を立設保持する凸状部５が外側方向にあり、形状は特定する必要はないが、幅は１ｍｍ以上１０ｍｍ以下であり、長さは１ｍｍ以上２０ｍｍ以下で有り、厚さは０．５ｍｍ以上５ｍｍ以下であるが、望ましくは幅が２ｍｍから７ｍｍ、長さは２ｍｍから１０ｍｍ、厚さは１ｍｍから３ｍｍが望ましい。
【００３１】
端末より脱着して折り曲げた凸状部５を受け入れる凹状部又は穴状部６が対比するもう一方の緩嵌合部２１又は挿入嵌合部２０の底部５０ｄに有り、立設を受け入れる凹状部又は穴状部６の形状は特定する必要はないが、前記の凸状部５より全ての寸法が０．１から０．５ｍｍ大きければ良く、安定してできる為にもう一方の緩嵌合部２１や挿入嵌合部の底部５０ｄの右左方向の中央が望ましく、折り曲げたケースの設置角度を変更出来る様に１から４個底部５０ｄにあるが、２から３個が望ましい。
【００３２】
ケースはヒンジ部１が複数備わり、保持用の指入れ保持用穴部８、指挟み保持用切取り部（７）、立設の為の凸部とその受け入れ部による保持用立設部の全てがケースに備わることが望ましい。
【００３３】
各機能はケースの長辺方向でも短辺方向でも別々に使えるが、両方向を同時に一つのケースに設ける事は困難で何方かの方向を特定して機能を作成する事が好ましいが、後付けで挿入嵌合部２０に補強材等を装着すれば、両方向使用の構造も作る事が出来る。
【００３４】
挿入嵌合部２０の外周部開口部側に新たなヒンジ部分を設けてケース解放面の蓋を作り表示面全体を保護する構造を作っても良く、蓋部分に更なる立ち上がり部分と新しい緩嵌合部分を追加して見開き式の２つ折り端末に対応しても良く、更に蓋の端部に長辺短冊状部を設けてケース全体を縛れる構造にし、ケースを固定し端末を保護しても良い。
【００３５】
説明のケースは箱型を用いたが、端末をカバーし折り曲げ出来て保持できれば大型端末や小型端末いずれでも良く、外周部形状は丸形、三角形又はひょうたん形等対応できる。
【００３６】
ケースには端末使用の為の本来の機能穴等は具備されており、さらにストラップ穴、耐衝撃肉厚部、物入れ構造部、飾り造形、磁石端末設置構造、吸盤端末設置構造、端末掛け構造等を追加しても良い。
【実施例１】
【００３７】
図１はヒンジ部を２本持つケースを形成した状態を示しており、材料は軟質サーモプラスチックウレタン樹脂で射出成型品である。
【００３８】
ケースの厚さｋは端末の厚さにケースの肉厚ｐの２倍の厚みを足した厚みを持つ。ケースの長辺５０ｆの長さは端末の長辺の長さよりケースの肉厚ｐの２倍の厚みを足した長さを持つ、同様にケースの短辺の長さ５０ｇは端末の短辺の長さよりケースの肉厚ｐの２倍の厚みを足した長さを持つ。
【００３９】
ケースを折る為の切り込み部２は長辺５０ｆの長さの３分の１と３分の２の位置に切り込み幅２ｐで長さはｋで厚さはケースの肉厚ｐで其々４カ所設けた。
【００４０】
ケースのヒンジ部１はケースの長辺５０ｆの長さの３分の１と３分の２の位置にケースの短辺５０ｇの長さを横断する方向にケースの厚さｐの２倍のヒンジ部１の溝幅で、ヒンジ部１の長さは短辺の長さマイナス３ｐにし、ヒンジ部１の最薄肉部はケースの厚さｐの４分の１の厚さでＵ字形に２カ所設けた。
【００４１】
ケースの挿入嵌合部２０に肉厚部４として長辺５０ｆの長さの２分の１の位置を中心に１２分の３の幅で設置し、挿入嵌合部２０の外側を囲む形で肉厚３ｐの肉厚部４を設け挿入嵌合部２０の挿入嵌合強度を高めた。
【００４２】
ケースの挿入嵌合部２０外周部立ち上がり部５０ｂの端部内側に挿入嵌合する為の広域凸部３を幅３ｐ高さ３ｐで長さは長辺５０ｆ部の長さの２分の１の位置を中心に１２分の２長さで挿入嵌合部２０外周部立ち上がり部５０ｂの右端部内側と左端部内側に２カ所設けた。形は三角柱で高さ３ｐが立ち上がり内面に接している。
【００４３】
ケースの緩嵌合部２１に緩嵌合の為の狭域凸部４ａをケース長辺５０ｆの外周部立ち上がり面の端部に幅２ｐ高さ２ｐ長さ５ｐで、ケース長辺５０ｆの側部の立ち上がり部５０ｂのケース長辺５０ｆの１２分の１の位置と１２分の１２の位置を中心として右端部内側と左端部内側に４カ所設けた。形は三角柱で高さ２ｐが立ち上がり面に接している。
【００４４】
端末使用時にケース底部５０ｄを指で挟む為の立ち上がり部５０ｂの保持用切取り部７はケースの緩嵌合部２１の外周部立ち上がり部５０ｂに、ケースの長辺５０ｆの長さの下方より６分の１と６分の５の位置を中心に高さｋマイナス２ｐ厚さｐ長さ３０ｍｍで其々の長辺５０ｆの側辺立ち上がり部５０ｂに４カ所設けた。
【００４５】
端末使用時に指を底部５０ｄに挿入するための保持用穴部８を緩嵌合部２１の底部５０ｄに、長辺５０ｆの長さの下方より６分の１の位置で長辺５０ｆに対して左側の位置と６分の２の長辺５０ｆに対して右側の位置に、そして同様に６分の５の左側の位置に、半径１５ｍｍの丸保持用穴部８を３カ所設けた。
【００４６】
ケースの緩嵌合部２１にお互いを保持するための凸状部５をケース短辺５０ｇ部の外周部の立ち上がり部５０ｂの中央外側の底部５０ｄを延長する方向に、立ち上がり部５０ｂに対しては直角の方向に幅４ｐ厚さｐ長さ９ｐの凸部を設けた。形は長方形箱型で厚さｐが底部５０ｄに接している。
【００４７】
ケースの緩嵌合部２１にお互いに保持するための穴状部６をケースの下方底部５０ｄを３分設する位置に、凸部に対応する横幅５ｐ縦幅２ｐ厚さｐで穴状部６を３か所設けた。
【実施例２】
【００４８】
図２は実施例１のケースを用いて、緩嵌合部２１を外側方向に脱着し、ケースの底部５０ｄに設置した保持用穴部８に指を挿入し、また別動作としてケースの外周部立ち上がり部５０ｂに設置した保持用切取り部７を指で挟み端末を操作し、誤記入や落下の危険なく安定して端末を保持で来た。
【実施例３】
【００４９】
図３は実施例１の縦型ケースを用いてケースの挿入嵌合部２０を下方にずらし緩嵌合部２１の裏側底部５０ｄの中央端部外側５０ｈから突き出た凸状部５の保持構造をヒンジ部１より折り曲げて、もう一方の緩嵌合部２１の裏側底部５０ｄに有る穴状部６に挿入固定し、端末を保持し平坦面に設置して縦方向に使用した。
【実施例４】
【００５０】
図４は縦型ケースで挿入嵌合部２０をケースの一方の端部に設け、ヒンジ部１にて分設した緩嵌合部２１を中央部とし、更に別の緩嵌合部２１を連続する位置に設け、緩嵌合部２１の裏側底部５０ｄの中央端部外側５０ｈから突き出た凸状部５をもう一方の挿入嵌合部２０の凹状部に係止し端末を保持し平坦面に設置し使用した。
【実施例５】
【００５１】
図５は軟質塩化ビニール樹脂で射出成型した横型大型ケースで、ケースの挿入嵌合部２０を下方にずらし緩嵌合部２１の一方の裏側底部５０ｄ中央端部外側５０ｈから突き出た凸状部５の保持構造を用いて、もう一方の緩嵌合部２１の裏側底部５０ｄに有る穴状部６に挿入し固定し、平坦面に端末とケースを立設して横方向に使用した。
【００５２】
図６は切り込み部２の斜視図とヒンジ部１の断面図の詳細図で、幅２ｐと最薄部の厚さ４分の１ｐのヒンジ部切断面Ａの詳細図を示す。Ａの切断場所は図１に示す。
【００５３】
当事者にとっては、本発明の更なる改良や他の実施形態が明らかであり、また上記説明は、例示としてのみ解釈されるべきで本発明を実行する最良の形態を当業者に教示する目的で提供されたものである。本発明の精神を逸脱すること無く、その構造及び、又は機能の詳細を実質的に変更できる。
【符号の説明】
【００５４】
１      ヒンジ部
２      切り込み部
３      広域凸部
４      肉厚部
４ａ    狭域凸部
４ｂ    突起部
５      保持用凸状部
６      保持用凹状部又は穴状部
７      保持用切取り部
８      保持用穴部
２０    挿入嵌合部
２１    緩嵌合部
５０ａ  情報端末機収納ケース
５０ｂ  立ち上がり部
５０ｄ  底部
５０ｆ  長辺
５０ｇ  短辺
５０ｈ  端部外側
１００  情報端末機
ｋ      ケースの厚さ      
ｐ      ケースの肉厚
Ａ      ヒンジ部断面
【図１】
2020201542.tif 000003
【図２】
2020201542.tif 000004
【図３】
2020201542.tif 000005
【図４】
2020201542.tif 000006
【図５】
2020201542.tif 000007
【図６】
2020201542.tif 000008